(57)【要約】【課題】３色の画像データから生成される４色の画像データを用いて画像を表示する場合であっても、好適な表示を行う。【解決手段】液晶装置（１００）は、４つの画素（ＳＧ）からなるドット（ＡＧ）を用いて表示を行うと共に、第１ラインと第２ラインのドット配列が半ピッチずれた表示手段（３０）と、３色画像データ（６１Ｒ、６１Ｇ及び６１Ｂ）におけるドット数を維持しつつ、３色画像データを第１の４色画像データ（６１Ｒ’、６１Ｇ’、６１Ｂ’及び６１Ｗ’）に変換する第１変換手段（６１２２）と、第１の４色画像データにおけるドット数を水平ライン方向において半減するように第１の４色画像データを第２の４色画像データ（６２Ｒ、６２Ｇ、６２Ｂ、６２Ｗ）に変換し、３色画像データが所定パターン画像を含む場合に、第１の４色画像データを変換する際に用いられる重み値を変化させる第２変換手段（６１２３）とを備える。【選択図】図４
2009192773.tif 000002
【特許請求の範囲】
【請求項１】
４つの画素からなると共にマトリクス状に配置されてなるドット表示を行うと共に、水平ラインのうちの第１ラインのドット配列と前記第１ラインに隣接する第２ラインのドット配列とがドット単位で半ピッチずれて前記ドットが配列された表示手段に対して、４色画像データを出力する画像処理装置において、
３色画像データにおけるドット数を維持しつつ、当該３色画像データを第１の４色画像データに変換する第１変換手段と、
前記第１の４色画像データのうち前記水平ラインに沿って隣接する２以上の画素の夫々に対応する個々の色データに所定の重み値を掛け合わせた後に色データ毎に加算することで、前記第１の４色画像データにおけるドット数を前記水平ライン方向において半減するように前記第１の４色画像データを第２の４色画像データに変換する第２変換手段と
を備え、
前記第２変換手段は、前記３色画像データが所定パターン画像を含む場合に、前記第１の４色画像データのうち前記所定パターン画像を示すデータ部分を変換する際に用いられる前記重み値を変化させることを特徴とする画像処理装置。
【請求項２】
前記所定パターン画像は、１ドット単位の市松模様であることを特徴とする請求項１に記載の画像処理装置。
【請求項３】
前記第２変換手段は、前記重み値として１／４及び３／４を用いると共に、前記３色画像データが前記所定パターン画像を含む場合に、前記重み値を１／２に変化させることを特徴とする請求項１又は２に記載の画像処理装置。
【請求項４】
前記表示手段上の前記ドットの配列が、赤色画素、緑色画素、青色画素及び白色画素の順であり、
前記３色画像データは、赤色データ、緑色データ及び青色データを画素毎に含み、
前記第１の４色画像データ及び前記第２の４色画像データの夫々は、赤色データ、緑色データ、青色データ及び白色データを画素毎に含み、
前記第２変換手段は、
前記第１ラインにおいて、(i)前記第１の４色画像データにおける前記第１ライン上の第１ドットの赤色データに３／４を掛け合わせたデータと前記第１ドットと前記水平ライン方向の前段において隣接する第２ドットの赤色データに１／４を掛け合わせたデータとを加算し、(ii)前記第１ドットの緑色データに３／４を掛け合わせたデータと前記第１ドットと前記水平ライン方向の後段において隣接する第３ドットの緑色データに１／４を掛け合わせたデータとを加算し、(iii)前記第１ドットの青色データに１／４を掛け合わせたデータと前記第３ドットの青色データに３／４を掛け合わせたデータとを加算し、(iv)前記第３ドットの白色データに３／４を掛け合わせたデータと前記第３ドットと前記水平ライン方向の後段において隣接する第４ドットの白色データに１／４を掛け合わせたデータとを加算することで、前記第１の４色画像データを前記第２の４色画像データに変換し、
前記第２ラインにおいて、(i)前記第１の４色画像データにおける前記第２ライン上の第５ドットの赤色データに１／４を掛け合わせたデータと前記第５ドットと前記水平ライン方向の後段において隣接する第６ドットの赤色データに３／４を掛け合わせたデータとを加算し、(ii)前記第６ドットの緑色データに３／４を掛け合わせたデータと前記第６ドットと前記水平ライン方向の後段において隣接する第７ドットの緑色データに１／４を掛け合わせたデータとを加算し、(iii)前記第５ドットの青色データに３／４を掛け合わせたデータと前記第５ドットと前記水平ライン方向の前段において隣接する第８ドットの青色データに１／４を掛け合わせたデータとを加算し、(iv)前記第５ドットの白色データに３／４を掛け合わせたデータと前記第６ドットの白色データに１／４を掛け合わせたデータとを加算することで、前記第１の４色画像データを前記第２の４色画像データに変換することを特徴とする請求項３に記載の画像処理装置。
【請求項５】
前記３色画像データが前記所定パターン画像を含むか否かを判定する前記判定手段を備え、
前記第２変換手段は、前記判定手段により前記３色画像データが前記所定パターン画像を含むと判定された場合に、前記重み値を変化させることを特徴とする請求項１から４のいずれか一項に記載の画像処理装置。
【請求項６】
前記３色画像データにおける第１のドットと第２のドットとが前記水平ライン方向において隣接し、前記第２のドットと第３のドットとが前記水平ライン方向において隣接し、前記第３のドットと第４のドットとが前記水平ライン方向において隣接し、
前記判定手段は、(i)前記第２のドットと前記第３のドットの階調の差分が第１所定値以上であり、(ii)前記第１のドットと前記第３のドットの階調の差分が第２所定値未満であり、(iii)前記第２のドットと前記第４のドットの階調の差分が前記第２所定値未満である場合に、前記３色画像データが前記所定パターン画像を含むと判定することを特徴とする請求項５に記載の画像処理装置。
【請求項７】
前記判定手段は、前記３色画像データにおける一のドットと、該一のドットと前記水平ライン方向において隣接する２つのドット及び前記一のドットと垂直ライン方向において隣接する２つのドットの夫々との階調の差分が第１所定値以上である場合に、前記３色画像データが前記所定パターン画像を含むと判定することを特徴とする請求項５に記載の画像処理装置。
【請求項８】
４つの画素からなるドットを用いて表示を行うと共に、水平ラインの第１ラインの画素配列と前記第１ラインに隣接する第２ラインのドット配列とがドット単位で半ピッチずれて前記ドットが配列された表示手段に対して、４色画像データを出力する画像処理方法において、
３色画像データにおけるドット数を維持しつつ、当該３色画像データを第１の４色画像データに変換する第１変換工程と、
前記第１の４色画像データのうち前記水平ライン方向に沿って隣接する２以上の画素の夫々に対応する個々の色データに所定の重み値を掛け合わせた後に色データ毎に加算することで、前記第１の４色画像データにおけるドット数を前記水平ライン方向において半減するように前記第１の４色画像データを第２の４色画像データに変換する第２変換工程と
を備え、
前記第２変換工程は、前記３色画像データが所定パターン画像を含む場合に、前記第１の４色画像データのうち前記所定パターン画像を示すデータ部分を変換する際に用いられる前記重み値を変化させることを特徴とする画像処理方法。
【請求項９】
４つの画素からなると共にマトリクス状に配置されてなるドット表示を行うと共に、水平ラインのうちの第１ラインのドット配列と前記第１ラインに隣接する第２ラインのドット配列とがドット単位で半ピッチずれて前記ドットが配列された表示手段と、
３色画像データにおけるドット数を維持しつつ、当該３色画像データを第１の４色画像データに変換する第１変換手段と、
前記第１の４色画像データのうち前記水平ラインに沿って隣接する２以上の画素の夫々に対応する個々の色データに所定の重み値を掛け合わせた後に色データ毎に加算することで、前記第１の４色画像データにおけるドット数を前記水平ライン方向において半減するように前記第１の４色画像データを第２の４色画像データに変換する第２変換手段と
を備え、
前記第２変換手段は、前記３色画像データが所定パターン画像を含む場合に、前記第１の４色画像データのうち前記所定パターン画像を示すデータ部分を変換する際に用いられる前記重み値を変化させることを特徴とする表示装置。
【発明の詳細な説明】
【技術分野】
【０００１】
本発明は、例えば画像データに対して所定のデータ処理を行う画像処理装置及び画像処理方法、並びにこのような画像処理装置を備える液晶装置等の表示装置の技術分野に関する。
【背景技術】
【０００２】
この種の電気光学装置として、一対の素子基板及び対向基板間に、電気光学物質の一例である液晶が挟持される液晶装置が一例としてあげられる。素子基板上における複数の画素が配列されてなる画素領域には、走査線及びデータ線の交差に対応して画素電極を含む画素部が形成されることにより、複数の画素部がマトリクス状に平面配列される。そして、各画素部には、画素スイッチング素子として、例えば薄膜トランジスタ（Thin Film Transistor；以下適宜、「ＴＦＴ」と称する）が含まれる。電気光学装置の駆動時、各画素部において、走査線より走査信号が供給されることにより画素スイッチング素子がオン状態となると、データ線より画素スイッチング素子を介して画素電極に画像信号が供給される。また、典型的には、複数の画素電極に対応して、画素領域の概ね全体に、複数の画素部に共通に共通電極（或いは、対向電極）がベタ状に形成されている。そして、液晶装置の駆動時には、画素電極と共通電極との間の電位差に基づく印加電圧が液晶に印加される。その結果、液晶の配向や秩序が制御され、画像表示が可能となる。
【０００３】
このような液晶装置においては、画素電極に対応する領域に赤色（Ｒ）、緑色（Ｇ）及び青色（Ｂ）のカラーフィルターを配置することで、各画素（サブ画素）が色相を表示できる（つまり、色表示を実現する）ように構成されている。このような色表示を行う際には、特許文献１に開示されたように、光効率を高めるために、赤色（Ｒ）、緑色（Ｇ）及び青色（Ｂ）に加えて、白色（Ｗ）を表示するための領域を設けると共に、通常３色の画像データを４色の画像データに変換する技術が開示されている。
【０００４】
【特許文献１】特開２００４−１０２２９２号公報
【発明の開示】
【発明が解決しようとする課題】
【０００５】
このような４色の画像データを用いて画像を表示する液晶装置では、偶数ラインの画素配列と奇数ラインの画素配列とが表示画素単位で半ピッチずれて配置されると共に、３色の画像データを４色の画像データに変換し、且つ該４色の画像データを２画素ずつマージすることで、表示領域上のサブ画素の数を概ね半分に減らしながらも、表示品質を維持する或いは向上させる技術が開発されつつある。このような液晶装置では、特定の画像パターンを表示する際に、本来意図している表示を行うことができない場合が発生することが、本願発明者によって認識された。具体的には、偶数ラインの画素配列と奇数ラインの画素配列とが表示画素単位で半ピッチずれて配置される各画素に対して、４色の画像データを２画素ずつマージすることで得られる４色の画像データを用いた表示処理を行うことに起因して、本来同一内容であるはずの画像の表示態様（特に、表示される色）が、当該画像が表示される位置の変化に伴って著しく変化してしまうことが、本願発明者によって認識された。
【０００６】
本発明は、例えば上述した従来の問題点に鑑みなされたものであり、例えば３色の画像データを変換することで得られる４色の画像データを用いて画像を表示する場合であっても、好適な表示を行うことを可能とならしめる画像処理装置及びこのような画像処理装置を備える表示装置を提供することを課題とする。
【課題を解決するための手段】
【０００７】
（画像処理装置）
本発明の画像処理装置は、４つの画素からなると共にマトリクス状に配置されてなるドットを用いて表示を行うと共に、水平ラインのうちの第１ラインのドット配列と前記第１ラインに隣接する第２ラインのドット配列とがドット単位で半ピッチずれて前記ドットが配列された表示手段に対して、４色画像データを出力する画像処理装置において、３色画像データにおけるドット数を維持しつつ、当該３色画像データを第１の４色画像データに変換する第１変換手段と、前記第１の４色画像データのうち前記水平ラインに沿って隣接する２以上の画素の夫々に対応する個々の色データに所定の重み値を掛け合わせた後に色データ毎に加算することで、前記第１の４色画像データにおけるドット数を前記水平ライン方向において半減するように前記第１の４色画像データを第２の４色画像データに変換する第２変換手段とを備え、前記第２変換手段は、前記３色画像データが所定パターン画像を含む場合に、前記第１の４色画像データのうち前記所定パターン画像を示すデータ部分を変換する際に用いられる前記重み値を変化させる。
【０００８】
本発明の画像処理装置によれば、４つの画素からなるドットを用いると共に、走査線における第１ライン（例えば、偶数ライン）のドット配列と第２ライン（例えば、奇数ライン）のドット配列とがドット単位で半ピッチずれてドットが配列（即ち表示画素がデルタ配列された）された表示手段に対して、４色画像データを表示データとして出力することができる。
【０００９】
具体的には、第１変換手段の動作により、例えば画像処理装置の外部より取得された３色画像データにおけるドット数を維持しつつ、３色画像データが第１の４色画像データに変換（言い換えれば、色変換）される。ここに、３色画像データはとは、３色の色データ（例えば、赤色（Ｒ）データ、緑色（Ｇ）データ及び青色（Ｂ）データ）を含んでなる画像データを示す趣旨であって、典型的には、３つの画素からなるドットにおける画像表示に用いられる。また、４色画像データとは、４色の色データ（例えば、赤色（Ｒ）データ、緑色（Ｇ）データ、青色（Ｂ）データ及び白色（Ｗ）データ）を含んでなる画像データを示す趣旨であって、典型的には、４つの画素からなるドットにおける画像表示に用いられる。
【００１０】
続いて、第２変換手段の動作により、第１の４色画像データにおけるドット数を水平ライン方向において半減するように第１の４色画像データが第２の４色画像データに変換される。つまり、第２の４色画像データが示す画像の水平ライン方向におけるドット数は、第１の４色画像データが示す画像の水平ライン方向におけるドット数と比較して、半分となっている。このような変換は、水平ラインに沿って隣接する２以上の第１の４色画像データをマージすることで行われる。より具体的には、水平ラインに沿って隣接する少なくとも２以上の第１の４色画像データの夫々が備える個々の色データ（例えば、赤色（Ｒ）データ、緑色（Ｇ）データ、青色（Ｂ）データ及び白色（Ｗ）データ）に所定の重み値（つまり、定数）を掛け合わせた後に色データ毎に加算することで行われる。
【００１１】
ここで、第２変換手段は、３色画像データが所定パターン画像を含む場合に、第１の４色画像データのうち所定パターン画像を示すデータ部分を変換する際に用いられる重み値を変化させる。ここに、所定パターン画像とは、第２の４色画像データに変換した後に表示手段上で表示させることで、表示に不具合をきたす或いはきたす可能性を有する画像を示す趣旨である。表示の不具合としては、第１ラインのドット配列と第２ラインのドット配列とがドット単位で半ピッチずれて配置される表示手段に対して、４色の画像データを２ドットずつマージすることで得られる４色の画像データを用いた表示処理を行うことに起因して生ずる不具合であって、例えば、画像の表示位置によって表示態様（例えば、表示色）が意図せず変更してしまう状態が一例としてあげられる。この場合、第２変換手段は、通常の変換の際に用いられる重み値を、上述した不具合を解消できるような重み値に変化させた上で、所定パターン画像を示すデータ部分を変換する。
【００１２】
これにより、仮に元画像データである３色画像データに所定パターン画像が含まれている場合であっても、所定パターン画像の表示に不具合が生ずることはなくなる。つまり、３色の画像データを変換することで得られる４色の画像データを用いて画像を表示する場合であっても、好適な表示を行うことができる。
【００１３】
本発明の画像処理装置の一の態様では、前記所定パターン画像は、１ドット単位の市松模様である。
【００１４】
この態様によれば、表示に不具合をきたす或いはきたす可能性がある１ドット単位の市松模様が３色画像データに含まれている場合であっても、１ドット単位の市松模様を表示手段上に好適に表示することができる。
【００１５】
尚、本発明における「市松模様」とは、ある一のドットにおける階調が、当該一のドットと少なくとも水平ライン方向において隣接する（より好ましくは、水平ライン方向及び垂直ライン方向の夫々において隣接する）２つの（或いは、４つの）ドットの夫々における階調との差分が所定の閾値以上であり、且つ水平ライン方向（より好ましくは、更に垂直ライン方向）において当該一のドットとの間に１ドットの距離を有して配置される他のドットにおける階調と概ね同一である状態のパターン画像を示す。
【００１６】
本発明の画像処理装置の他の態様では、前記第２変換手段は、前記重み値として１／４及び３／４を用いると共に、前記３色画像データが前記所定パターン画像を含む場合に、前記重み値を１／２に変化させる。
【００１７】
この態様によれば、第１の４色画像データにおける隣接する２以上のドットのいずれか（具体的には、重み値が３／４となる画素）を優先的にマージすることでドット数を半減しつつも好適な表示を維持するように変換処理を行う一方で、所定パターン画像が含まれる場合には、第１の４色画像データにおける隣接する２以上のドットを概ね均一にマージすることで、表示に不具合をきたす或いはきたす可能性がある場合であっても好適な表示を維持することができる。
【００１８】
上述の如く重み値として１／４及び３／４を用いる画像処理装置の態様では、前記表示手段上の前記ドットの配列が、赤色画素、緑色画素、青色画素及び白色画素の順であり、前記３色画像データは、赤色データ、緑色データ及び青色データを画素毎に含み、前記第１の４色画像データ及び前記第２の４色画像データの夫々は、赤色データ、緑色データ、青色データ及び白色データを画素毎に含み、前記第２変換手段は、前記第１ラインにおいて、(i)前記第１の４色画像データにおける前記第１ライン上の第１ドットの赤色データに３／４を掛け合わせたデータと前記第１ドットと前記水平ライン方向の前段において隣接する第２ドットの赤色データに１／４を掛け合わせたデータとを加算し、(ii)前記第１ドットの緑色データに３／４を掛け合わせたデータと前記第１ドットと前記水平ライン方向の後段において隣接する第３ドットの緑色データに１／４を掛け合わせたデータとを加算し、(iii)前記第１ドットの青色データに１／４を掛け合わせたデータと前記第３ドットの青色データに３／４を掛け合わせたデータとを加算し、(iv)前記第３ドットの白色データに３／４を掛け合わせたデータと前記第３ドットと前記水平ライン方向の後段において隣接する第４ドットの白色データに１／４を掛け合わせたデータとを加算することで、前記第１の４色画像データを前記第２の４色画像データに変換し、前記第２ラインにおいて、(i)前記第１の４色画像データにおける前記第２ライン上の第５ドットの赤色データに１／４を掛け合わせたデータと前記第５ドットと前記水平ライン方向の後段において隣接する第６ドットの赤色データに３／４を掛け合わせたデータとを加算し、(ii)前記第６ドットの緑色データに３／４を掛け合わせたデータと前記第６ドットと水平ライン方向の後段において隣接する第７ドットの緑色データに１／４を掛け合わせたデータとを加算し、(iii)前記第５ドットの青色データに３／４を掛け合わせたデータと前記第５ドットと前記水平ライン方向の前段において隣接する第８ドットの青色データに１／４を掛け合わせたデータとを加算し、(iv)前記第５ドットの白色データに３／４を掛け合わせたデータと前記第６ドットの白色データに１／４を掛け合わせたデータとを加算することで、前記第１の４色画像データを前記第２の４色画像データに変換するように構成してもよい。
【００１９】
このように構成すれば、ドット数を半減しつつも好適な表示を維持するように通常の変換処理を行う一方で、表示に不具合をきたす或いはきたす可能性がある場合であっても好適な表示を維持することができる。
【００２０】
本発明の画像処理装置の他の態様では、前記３色画像データが前記所定パターン画像を含むか否かを判定する前記判定手段を備え、前記第２変換手段は、前記判定手段により前記３色画像データが前記所定パターン画像を含むと判定された場合に、前記重み値を変化させる。
【００２１】
この態様によれば、判定手段の動作により、３色画像データが所定パターン画像を含んでいるか否かを好適に判定することができる。従って、上述した動作を好適に行うことができる。
【００２２】
上述の如く判定手段を備える画像処理装置の態様では、前記３色画像データにおける第１のドットと第２のドットとが前記水平ライン方向において隣接し、前記第２のドットと第３のドットとが前記水平ライン方向において隣接し、前記第３のドットと第４のドットとが前記水平ライン方向において隣接し、前記判定手段は、(i)前記第２のドットと前記第３のドットの階調の差分が第１所定値以上であり、(ii)前記第１のドットと前記第３のドットの階調の差分が第２所定値未満であり、(iii)前記第２のドットと前記第４のドットの階調の差分が前記第２所定値未満である場合に、前記３色画像データが前記所定パターン画像を含むと判定するように構成してもよい。
【００２３】
このように構成すれば、元画像データである３色画像データに所定のパターン画像（特に、１ドット単位の市松画像）が含まれているか否かを好適に判定することができる。特に、この構成によれば、水平方向に連続して配置される少なくとも４ドット分のデータ部分を参照すれば上述の判定を行うことができるため、ラインメモリ或いはフレームメモリを備えない構成の画像処理装置においても、上述した判定を好適に行うことができる。
【００２４】
上述の如く判定手段を備える画像処理装置の態様では、前記判定手段は、前記３色画像データにおける一のドットと、該一のドットと前記水平ライン方向において隣接する２つのドット及び前記一のドットと垂直ライン方向において隣接する２つのドットの夫々との階調の差分が第１所定値以上である場合に、前記３色画像データが前記所定パターン画像を含むと判定するように構成してもよい。
【００２５】
このように構成すれば、元画像データである３色画像データに所定のパターン画像（特に、１ドット単位の市松画像）が含まれているか否かを好適に判定することができる。特に、この構成によれば、ある一のドットを中心として、水平ライン方向及び垂直ライン方向の夫々において隣接するドットの階調を参照しているため、より高精度に元画像データである３色画像データに所定のパターン画像（特に、１ドット単位の市松画像）が含まれているか否かを判定することができる。
【００２６】
（画像処理方法）
本発明の画像処理方法は、４つの画素からなるドットを用いて表示を行うと共に、水平ラインのうちの第１ラインのドット配列と前記第１ラインと隣接する第２ラインのドット配列とがドット単位で半ピッチずれて前記ドットが配列された表示手段に対して、４色画像データを出力する画像処理方法において、３色画像データにおけるドット数を維持しつつ、当該３色画像データを第１の４色画像データに変換する第１変換工程と、前記第１の４色画像データのうち前記水平ライン方向に沿って隣接する２以上の画素の夫々に対応する個々の色データに所定の重み値を掛け合わせた後に色データ毎に加算することで、前記第１の４色画像データにおけるドット数を前記水平ライン方向において半減するように前記第１の４色画像データを第２の４色画像データに変換する第２変換工程とを備え、前記第２変換工程は、前記３色画像データが所定パターン画像を含む場合に、前記第１の４色画像データのうち前記所定パターン画像を示すデータ部分を変換する際に用いられる前記重み値を変化させる。
【００２７】
本発明の画像処理方法によれば、上述した本発明の画像処理装置が享受する効果と同様の効果を好適に享受することができる。
【００２８】
尚、上述した本発明の画像処理装置における各種態様に対応して、本発明の画像処理方法も各種態様を取ることができる。
【００２９】
（表示装置）
本発明の表示装置は、４つの画素からなると共にマトリクス状に配置されてなるドット表示を行うと共に、水平ラインのうちの第１ラインのドット配列と前記第１ラインに隣接する第２ラインのドット配列とがドット単位で半ピッチずれて前記ドットが配列された表示手段と、３色画像データにおけるドット数を維持しつつ、当該３色画像データを第１の４色画像データに変換する第１変換手段と、前記第１の４色画像データのうち前記水平ラインに沿って隣接する２以上の画素の夫々に対応する個々の色データに所定の重み値を掛け合わせた後に色データ毎に加算することで、前記第１の４色画像データにおけるドット数を前記水平ライン方向において半減するように前記第１の４色画像データを第２の４色画像データに変換する第２変換手段とを備え、前記第２変換手段は、前記３色画像データが所定パターン画像を含む場合に、前記第１の４色画像データのうち前記所定パターン画像を示すデータ部分を変換する際に用いられる前記重み値を変化させる。
【００３０】
本発明の表示装置によれば、上述した本発明の画像処理装置が享受する効果と同様の効果を好適に享受しつつ、画像を表示することができる。つまり、上述した本発明の画像処理装置が享受する各種効果と同様の効果を享受することができる投射型表示装置、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネルなどの各種電子機器を実現することができる。
【００３１】
本発明の作用及び他の利得は次に説明する実施の形態から更に明らかにされよう。
【発明を実施するための最良の形態】
【００３２】
以下、本発明を実施するための最良の形態を、図面に基づいて説明する。尚、以下では、本発明に係る画像処理装置を、液晶装置に適用した例について説明を進める。
【００３３】
（１）液晶装置の構成
まず、図１及び図２を参照して、本実施形態に係る液晶装置１００の構成について説明する。
【００３４】
図１は、本実施形態に係る液晶装置１００の概略構成を模式的に示す平面図である。図１では、紙面手前側（観察側）にカラーフィルタ基板９２が、また、紙面奥側に素子基板９１が夫々配置されている。なお、図１では、紙面縦方向（列方向）をＹ方向と規定し、また、紙面横方向（行方向）をＸ方向と規定する。また、図１において、Ｒ（赤）、Ｇ（緑）、Ｂ（青）、Ｗ（透明または白色）に対応する各領域は１つのサブ画素ＳＧを示していると共に、ＲＧＢＷに対応する１行４列のサブ画素ＳＧは、１つの表示画素ＡＧ（つまり、１ドット）を示している。
【００３５】
図２は、液晶装置１００における切断線Ａ−Ａ´に沿った１つの表示画素ＡＧの拡大断面図である。図２に示すように、液晶装置１００は、液晶表示パネル３０と、照明装置１０より構成される。液晶表示パネル３０は、素子基板９１と、その素子基板９１に対向して配置されるカラーフィルタ基板９２とが枠状のシール材５を介して貼り合わされ、そのシール材５の内側に液晶が封入されて液晶層４が形成されてなる。液晶表示パネル３０の素子基板９１の外面上には、液晶表示パネル３０を照明する照明装置１０が備えられる。
【００３６】
本実施形態に係る液晶装置１００は、ＲＧＢＷの４色を用いて構成されるカラー表示用の液晶装置であると共に、スイッチング素子として例えばＴＦＴ（Thin Film Transistor）素子を用いたアクティブマトリクス駆動方式の液晶装置である。
【００３７】
素子基板９１の平面構成について説明する。素子基板９１の内面上には、主として、複数のデータ線（或いは、ソース線）３２、複数のゲート線３３、複数のＴＦＴ素子３７、複数の画素電極３４、ドライバＩＣ４０、外部接続用配線３５及びＦＰＣ（Flexible Printed Circuit）４１などが形成若しくは実装されている。
【００３８】
図１に示すように、素子基板９１は、カラーフィルタ基板９２の一辺側から外側へ張り出してなる張り出し領域３１を有しており、その張り出し領域３１上には、ドライバＩＣ４０が実装されている。ドライバＩＣ４０の入力側の端子（図示略）は、複数の外部接続用配線３５の一端側と電気的に接続されていると共に、複数の外部接続用配線３５の他端側はＦＰＣ４１と電気的に接続されている。各データ線３２は、Ｙ方向に延在するように且つＸ方向に適宜の間隔をおいて形成されており、各データ線３２の一端側は、ドライバＩＣ４０の出力側の端子（図示略）に電気的に接続されている。
【００３９】
各ゲート線３３は、Ｙ方向に延在するように形成された第１配線３３ａと、その第１配線３３ａの終端部からＸ方向に延在するように形成された第２配線３３ｂとを備えている。各ゲート線３３の第２配線３３ｂは、各データ線３２と交差する方向、即ちＸ方向に延在するように且つＹ方向に適宜の間隔をおいて形成されており、各ゲート線３３の第１配線３３ａの一端側は、ドライバＩＣ４０の出力側の端子（図示略）に電気的に接続されている。各データ線３２と各ゲート線３３の第２配線３３ｂの交差に対応する位置にはＴＦＴ素子３７が設けられており、各ＴＦＴ素子３７は各データ線３２、各ゲート線３３及び各画素電極３４等に電気的に接続されている。
【００４０】
各ＴＦＴ素子３７及び各画素電極３４は、ガラスなどの基板１上の各サブ画素ＳＧに対応する位置に設けられている。各画素電極３４は、例えばＩＴＯ（Indium-Tin Oxide）などの透明導電材料により形成されている。なお、ここで、スイッチング素子としては、アモルファスＴＦＴ素子を用いてもよいし、ポリシリコンＴＦＴを用いてもよいし、或いはＴＦＤ（Thin Film Diode）素子を用いてもよい。
【００４１】
１つの表示画素ＡＧがＸ方向及びＹ方向に複数個、マトリクス状に並べられた領域が有効表示領域Ｖ（２点鎖線により囲まれる領域）である。この有効表示領域Ｖに、文字、数字、図形等の画像が表示される。つまり、この有効表示領域Ｖが、液晶装置１００における表示画面の領域を示している。なお、有効表示領域Ｖの外側の領域は表示に寄与しない額縁領域３８となっている。また、各データ線３２、各ゲート線３３、各ＴＦＴ素子３７、及び各画素電極３４等の内面上には、図示しない配向膜が形成されている。
【００４２】
また、本実施形態では、走査線における奇数ライン（具体的には、第１行目、第３行目、・・・）におけるサブ画素の配列と、走査線における偶数ライン（具体的には、第２行目、第４行目、・・・）におけるサブ画素の配列とが、画素の単位で半ピッチ（言い換えれば、半周期）ずれている。具体的には、奇数ラインにおいては、有効表示領域Ｖの左端から、赤色（Ｒ）を表示するためのサブ画素ＳＧ、緑色（Ｇ）を表示するためのサブ画素ＳＧ、青色（Ｂ）を表示するためのサブ画素ＳＧ及び白色（Ｗ）を表示するためのサブ画素ＳＧの順にサブ画素ＳＧが配置されている一方で、偶数ラインにおいては、有効表示領域Ｖの左端から、青色（Ｂ）を表示するためのサブ画素ＳＧ、白色（Ｗ）を表示するためのサブ画素ＳＧ、赤色（Ｒ）を表示するためのサブ画素ＳＧ及び緑色（Ｇ）を表示するためのサブ画素ＳＧの順にサブ画素ＳＧが配置されている。
【００４３】
次に、カラーフィルタ基板９２の平面構成について説明する。図２に示すように、カラーフィルタ基板９２は、ガラスなどの基板２上に、遮光層（一般に「ブラックマトリクス」と呼ばれ、以下では、単に「ＢＭ」と略記する）、Ｒ、Ｇ、Ｂの着色層６Ｒ、６Ｇ、６Ｂと、Ｗの透明又は白色部６Ｗ及び共通電極８などを有する。なお、透明又は白色部６Ｗは、例えば透明樹脂によって形成された層、もしくは何も設けない層とされる。ＢＭは、各サブ画素ＳＧを区画する位置に形成されている。ここでは、各色のサブ画素ＳＧについて、対応する色をカッコ付きで示している。
【００４４】
なお、以下の説明もしくは図面において、ＲＧＢの色を特定することなく構成要素を示す場合には、単に「着色層６」のように記し、ＲＧＢの色を区別して構成要素を示す場合には、例えば「着色層６Ｒ」のように記すこととする。
【００４５】
この着色層６Ｒ、６Ｇ、６Ｂと、透明又は白色部６Ｗがカラーフィルタを構成する。共通電極８は、画素電極３４と同様にＩＴＯなどの透明導電材料からなり、カラーフィルタ基板９２の略一面に亘って形成されている。共通電極８は、シール材５の隅の領域Ｅ１において配線３６の一端側と電気的に接続されていると共に、当該配線３６の他端側は、ドライバＩＣ４０のＣＯＭに対応する出力端子と電気的に接続されている。
【００４６】
液晶装置１００では、電子機器のメイン基板等と接続されたＦＰＣ４１側からの信号及び電力等に基づき、ドライバＩＣ４０によって、Ｇ１、Ｇ２、・・・、Ｇｍ−１、Ｇｍ（但し、ｍは自然数）の順にゲート線３３が順次排他的に１本ずつ選択されるとともに、選択されたゲート線３３には、選択電圧のゲート信号が供給される一方、他の非選択のゲート線３３には、非選択電圧のゲート信号が供給される。そして、ドライバＩＣ４０は、選択されたゲート線３３に対応する位置にある画素電極３４に対し、表示内容に応じた画像信号を、それぞれ対応するＳ１、Ｓ２、・・・、Ｓｎ−１、Ｓｎ（ｎは自然数）のデータ線３２及びＴＦＴ素子３７を介して供給する。その結果、液晶層４の配向状態が制御され、液晶装置１００の表示状態が、非表示状態または中間表示状態に切り替えられることとなる。
【００４７】
次に、照明装置１０について説明する。照明装置１０は、導光板１１と光源部１２と反射シート１４より構成される。光源部１２は、導光板１１の端面に設置されている。光源部１２は、光源として複数のＬＥＤ１３を有している。複数のＬＥＤ１３としては、青色ＬＥＤからの青色光でＹＡＧ（イットリウム・アルミニウム・ガーネット）系蛍光体を励起し、それによって白色光を照射するシングルチップ方式の白色ＬＥＤを配列したものを用いても良いし、又は、ＲＧＢの夫々の色のＬＥＤを揃えて同時に発光および混光することによって白色光を出光するマルチチップ方式のものを用いても良い。反射シート１４は、導光板１１の液晶表示パネル３０側とは反対側の面に設置されている。
【００４８】
照明装置１０における複数のＬＥＤ１３より出光した白色光は、光源部１２より光Ｌとして、導光板１１の端面（以下、「入光端面」と称す）１１ｃに向けて出光する。光源部１２より出光した光Ｌは、導光板１１の入光端面１１ｃより導光板１１内へ入り、導光板１１の出光面１１ａ、反射面１１ｂで反射を繰り返すことにより方向を変え、導光板１１の出光面１１ａと光Ｌのなす角が臨界角を超えると、導光板１１の出光面１１ａから照明光Ｌｔとして図示しない光学シートを介して液晶表示パネル３０へ向けて夫々出光する。液晶装置１００は、照明光Ｌｔが液晶表示パネル３０を透過することによって照明される。これにより、液晶装置１００は、文字、数字、図形等の画像を表示することができ、観測者が画像を視認することができる。
【００４９】
なお、液晶装置１００としては、上述した実施形態のものには限られず、代わりに、ＲＧＢのサブ画素ＳＧ毎の画素電極３４上の一部の領域に光を反射する反射層が設けられた半透過反射型の液晶装置を用いることとしてもよい。
【００５０】
図３は、本実施形態に係る液晶装置１００の回路構成を示す模式図である。液晶装置１００において、入力されたＲＧＢの各色の画像信号がＲＧＢＷの各色の画像信号に変換される場合、液晶装置１００は、表示画像変換部６１２を備える。表示画像変換部６１２は、パーソナルコンピュータなどの外部の表示画像出力源６１１より出力されたＲＧＢの各色の画像信号を、ＲＧＢＷの各色の画像信号に変換して、液晶表示パネル３０に出力する機能を有する。
【００５１】
表示画像変換部６１２は、例えば、ドライバＩＣ４０内部に備えられた回路であり、ＣＰＵ（Central Processing Unit）などの演算処理部６１２ａと、ＲＡＭ（Random Access Memory）などの記憶部６１２ｂとを備えて構成されている。演算処理部６１２ａは、表示画像出力源６１１より出力された入力画像のＲＧＢを含む３色の画像データ６１Ｒ、６１Ｇ、６１Ｂを、ＲＧＢＷを含む４色の画像データ６２Ｒ、６２Ｇ、６２Ｂ、６２Ｗに変換して、液晶表示パネル３０へ出力する。なお、この表示画像変換部６１２は、回路ではなく、代わりに、例えば、ドライバＩＣ４０におけるＣＰＵがプログラムを実行することによって実現されるとしてもよい。
【００５２】
（２）画像データの変換
続いて、図４及び図５を参照して、入力画像の３色の画像データ６１Ｒ、６１Ｇ及び６１Ｂを、４色の画像データ６２Ｒ、６２Ｇ、６２Ｂ及び６２Ｗに変換する態様について説明する。ここに、図４は、表示画像変換部６１２の具体的な構成を概念的に示すブロック図であり、図５は、入力画像の３色の画像データ６１Ｒ、６１Ｇ及び６１Ｂを、表示出力用の４色の画像データ６２Ｒ、６２Ｇ、６２Ｂ及び６２Ｗに変換する過程を概念的に示す模式図である。尚、図４では、説明の便宜上、通常は「０」及び「１」のデジタル値で表現されている画像データを、液晶装置１００の画素ＡＧ（特に、サブ画素ＳＧ）と対応付けるように模式的に表現している。
【００５３】
図４に示すように、表示画像変換部６１２は、メモリ（＃０）６１２１−０と、メモリ（＃１）６１２１−１と、メモリ（＃２）６１２１−２と、メモリ（＃３）６１２１−３と、４色画像データ変換回路６１２２と、リサイザ６１２３と、差分器６１２５−１と、差分器６１２５−２と、差分器６１２５−３と、判定回路６１２７とを備えている。
【００５４】
表示画像変換部６１２に入力される３色の画像データ（６１Ｒ、６１Ｇ及び６１Ｂ）は、メモリ（＃０）６１２１−０と、メモリ（＃１）６１２１−１と、メモリ（＃２）６１２１−２に逐次格納された後、４色画像データ変換回路６１２２に入力される。
【００５５】
４色画像データ変換回路６１２２においては、まず、図５（ａ）の左側に示すように、３色の画像データ（６１Ｒ、６１Ｇ及び６１Ｂ）が、表示画素数を変えることなく、４色の画像データ（６１Ｒ’、６１Ｇ’、６１Ｂ’及び６１Ｗ’）に変換される。ここでは、例えば、所定のテーブルを用いることで、３色の画像データ（６１Ｒ、６１Ｇ及び６１Ｂ）を４色の画像データ（６１Ｒ’、６１Ｇ’、６１Ｂ’及び６１Ｗ’）に変換してもよい。尚、図５（ａ）においては、左側に、４画素分の３色の画像データ（６１Ｒ、６１Ｇ及び６１Ｂ）を示すと共に、中央に、４画素分の４色の画像データ（６１Ｒ’、６１Ｇ’、６１Ｂ’及び６１Ｗ’）を示している。
【００５６】
その後、４色画像データ変換回路６１２２において生成された４色の画像データ（６１Ｒ’、６１Ｇ’、６１Ｂ’及び６１Ｗ’）は、リサイザ６１２３に出力される。リサイザ６１２３においては、更に、図５（ａ）の右側に示すように、４色の画像データ（６１Ｒ’、６１Ｇ’、６１Ｂ’及び６１Ｗ’）が、水平方向の表示画素数を半減させるように、表示出力用の４色の画像データ（６２Ｒ、６２Ｇ、６２Ｂ及び６２Ｗ）に変換される。このとき生成される４色の画像データ（６２Ｒ、６２Ｇ、６２Ｂ及び６２Ｗ）は、偶数ラインと奇数ラインとが表示画素単位で半ピッチずれた画像データとなる。図５（ａ）に示す例では、４画素分の４色の画像データ（６１Ｒ’、６１Ｇ’、６１Ｂ’及び６１Ｗ’）が、２画素分の表示出力用の４色の画像データ（６２Ｒ、６２Ｇ、６２Ｂ及び６２Ｗ）に変換される例を示している。
【００５７】
奇数ラインに対応する４色の画像データ（６１Ｒ’、６１Ｇ’、６１Ｂ’及び６１Ｗ’）に対しては、図５（ｂ）に示す態様で、表示出力用の４色の画像データ（６２Ｒ、６２Ｇ、６２Ｂ及び６２Ｗ）に変換される。つまり、奇数ラインに対応する４色の画像データ（６１Ｒ’、６１Ｇ’、６１Ｂ’及び６１Ｗ’）のうちの３つ又は４つの画素の画像データをマージすることで、同一の奇数ラインに対応する表示出力用の４色の画像データ（６２Ｒ、６２Ｇ、６２Ｂ及び６２Ｗ）が生成される。具体的には、４色の画像データ（６２Ｒ、６２Ｇ、６２Ｂ及び６２Ｗ）のうちの画素ＳＰｋ（但し、ｋは、ある表示ラインにおける左端の画素の番号を０として全ての画素に連続的に付与される識別番号を示す）を表示するための画像データを、６２Ｒ（ｋ）、６２Ｇ（ｋ）、６２Ｂ（ｋ）及び６２Ｗ（ｋ）とし、４色の画像データ（６１Ｒ’、６１Ｇ’、６１Ｂ’及び６１Ｗ’）のうちの画素Ｐｋを表示するための画像データを、６１Ｒ’（ｋ）、６１Ｇ’（ｋ）、６１Ｂ’（ｋ）及び６１Ｗ’（ｋ）とすると、以下の数式（１）から数式（４）に基づいて、奇数ラインにおける表示出力用の４色の画像データ（６２Ｒ、６２Ｇ、６２Ｂ及び６２Ｗ）が生成される。
【００５８】
６２Ｒ（ｋ）＝６１Ｒ’（２ｋ−１）×１／４＋６１Ｒ’（２ｋ）×３／４・・・（１）
６２Ｇ（ｋ）＝６１Ｇ’（２ｋ）×３／４＋６１Ｒ’（２ｋ＋１）×１／４・・・（２）
６２Ｂ（ｋ）＝６１Ｂ’（２ｋ）×１／４＋６１Ｒ’（２ｋ＋１）×３／４・・・（３）
６２Ｗ（ｋ）＝６１Ｗ’（２ｋ＋１）×３／４＋６１Ｒ’（２ｋ＋２）×１／４・・（４）
但し、有効表示領域Ｖの始端（つまり、左端）における表示出力用の４色の画像データ（６２Ｒ、６２Ｇ、６２Ｂ及び６２Ｗ）を生成する際には、上述の数式（１）に代えて、以下の数式（５）が用いられる。また、有効表示領域Ｖの終端（つまり、右端）における表示出力用の４色の画像データ（６２Ｒ、６２Ｇ、６２Ｂ及び６２Ｗ）を生成する際には、上述の数式（４）に代えて、以下の数式（６）が用いられる。
【００５９】
６２Ｒ（ｋ）＝６１Ｒ’（２ｋ）×１／４＋６１Ｒ’（２ｋ）×３／４・・・（５）
６２Ｗ（ｋ）＝６１Ｗ’（２ｋ＋１）×３／４＋６１Ｒ’（２ｋ＋１）×１／４・・（６）
同様に、偶数ラインに対応する４色の画像データ（６１Ｒ’、６１Ｇ’、６１Ｂ’及び６１Ｗ’）に対しては、図５（ｃ）に示す態様で、表示出力用の４色の画像データ（６２Ｒ、６２Ｇ、６２Ｂ及び６２Ｗ）に変換される。つまり、偶数ラインに対応する４色の画像データ（６１Ｒ’、６１Ｇ’、６１Ｂ’及び６１Ｗ’）のうちの３つ又は４つの画素の画像データをマージすることで、同一の偶数ラインに対応する表示出力用の４色の画像データ（６２Ｒ、６２Ｇ、６２Ｂ及び６２Ｗ）が生成される。具体的には、以下の数式（７）から数式（１０）に基づいて、偶数ラインにおける表示出力用の４色の画像データ（６２Ｒ、６２Ｇ、６２Ｂ及び６２Ｗ）が生成される。
【００６０】
６２Ｂ（ｋ）＝６１Ｂ’（２ｋ−１）×１／４＋６１Ｒ’（２ｋ）×３／４・・・（７）
６２Ｗ（ｋ）＝６１Ｗ’（２ｋ）×３／４＋６１Ｒ’（２ｋ＋１）×１／４・・（８）
６２Ｒ（ｋ）＝６１Ｒ’（２ｋ）×１／４＋６１Ｒ’（２ｋ＋１）×３／４・・・（９）
６２Ｇ（ｋ）＝６１Ｇ’（２ｋ＋１）×３／４＋６１Ｒ’（２ｋ＋２）×１／４・・（１０）
但し、有効表示領域Ｖの始端（つまり、左端）における表示出力用の４色の画像データ（６２Ｒ、６２Ｇ、６２Ｂ及び６２Ｗ）を生成する際には、上述の数式（７）に代えて、以下の数式（１１）が用いられる。また、有効表示領域Ｖの終端（つまり、右端）における表示出力用の４色の画像データ（６２Ｒ、６２Ｇ、６２Ｂ及び６２Ｗ）を生成する際には、上述の数式（１０）に代えて、以下の数式（１２）が用いられる。
【００６１】
６２Ｂ（ｋ）＝６１Ｂ’（２ｋ）×１／４＋６１Ｒ’（２ｋ）×３／４・・・（１１）
６２Ｇ（ｋ）＝６１Ｇ’（２ｋ＋１）×３／４＋６１Ｒ’（２ｋ＋１）×１／４・・（１２）
本実施形態では、以上のような態様で、４色の画像データ（６１Ｒ’、６１Ｇ’、６１Ｂ’及び６１Ｗ’）を、表示出力用の４色の画像データ（６２Ｒ、６２Ｇ、６２Ｂ及び６２Ｗ）に変換した後に、表示パネル３０に出力している。ここで、本実施形態では特に。３色の画像データ（６１Ｒ、６１Ｇ及び６１Ｂ）が、所定のパターン画像を含んでいるか否かが判定される。ここで、所定のパターン画像は、図６に示すように、１ドットの市松模様である。つまり、相対的に大きく異なる２種類の階調が、画素単位の格子状に互い違いに表示される画像が、所定のパターン画像となる。
【００６２】
このような３色の画像データ（６１Ｒ、６１Ｇ及び６１Ｂ）が１ドットの市松模様を含んでいるか否かの判定は、図４に示すように、メモリ（＃０）６１２１−０と、メモリ（＃１）６１２１−１と、メモリ（＃２）６１２１−２に逐次格納された３色の画像データ（６１Ｒ、６１Ｇ及び６１Ｂ）に基づいて、判定回路６１２７の動作により行われる。
【００６３】
具体的には、メモリ（＃０）６１２１−０と、メモリ（＃１）６１２１−１と、メモリ（＃２）６１２１−２とには、これらのメモリ全体として、相隣接する４つの画素分の３色の画像データ（６１Ｒ、６１Ｇ及び６１Ｂ）が格納される。例えば、図６の下部に示すように、メモリ（＃０）６１２１−０には、画素ｐ０に対応する３色の画像データ（６１Ｒ、６１Ｇ及び６１Ｂ）が格納され、メモリ（＃１）６１２１−１には、画素ｐ０の水平方向の後段に位置する画素ｐ１に対応する３色の画像データ（６１Ｒ、６１Ｇ及び６１Ｂ）が格納され、メモリ（＃２）６１２１−２には、画素ｐ１の水平方向の後段に位置する画素ｐ２に対応する３色の画像データ（６１Ｒ、６１Ｇ及び６１Ｂ）が格納され、メモリ（＃３）６１２１−３には、画素ｐ２の水平方向の後段に位置する画素ｐ３に対応する３色の画像データ（６１Ｒ、６１Ｇ及び６１Ｂ）が格納される。
【００６４】
メモリ（＃０）６１２１−０と、メモリ（＃１）６１２１−１と、メモリ（＃２）６１２１−２と、メモリ（＃３）６１２１−３とに格納された相隣接する４つの画素分の３色の画像データ（６１Ｒ、６１Ｇ及び６１Ｂ）は、適宜、差分器６１２５−１と、差分器６１２５−２と、差分器６１２５−３とに出力される。
【００６５】
具体的には、メモリ（＃０）６１２１−０に格納された３色の画像データ（６１Ｒ、６１Ｇ及び６１Ｂ）と、メモリ（＃２）６１２１−２に格納された３色の画像データ（６１Ｒ、６１Ｇ及び６１Ｂ）とが、差分器６１２５−１に出力される。差分器６１２５−１では、メモリ（＃０）６１２１−０に格納された３色の画像データ（６１Ｒ、６１Ｇ及び６１Ｂ）の階調と、メモリ（＃２）６１２１−２に格納された３色の画像データ（６１Ｒ、６１Ｇ及び６１Ｂ）の階調との差分が算出される。差分の結果は、判定回路６１２７へ出力される。つまり、画素ｐ０の階調及び画素ｐ０と１画素分離れた画素ｐ２の階調の差分が判定回路６１２７へ出力される。
【００６６】
同様に、メモリ（＃１）６１２１−１に格納された３色の画像データ（６１Ｒ、６１Ｇ及び６１Ｂ）と、メモリ（＃３）６１２１−３に格納された３色の画像データ（６１Ｒ、６１Ｇ及び６１Ｂ）とが、差分器６１２５−２に出力される。差分器６１２５−２では、メモリ（＃１）６１２１−１に格納された３色の画像データ（６１Ｒ、６１Ｇ及び６１Ｂ）の階調と、メモリ（＃３）６１２１−３に格納された３色の画像データ（６１Ｒ、６１Ｇ及び６１Ｂ）の階調との差分が算出される。差分の結果は、判定回路６１２７へ出力される。つまり、画素ｐ１の階調及び画素ｐ１と１画素分離れた画素ｐ３の階調の差分が判定回路６１２７へ出力される。
【００６７】
同様に、メモリ（＃１）６１２１−１に格納された３色の画像データ（６１Ｒ、６１Ｇ及び６１Ｂ）と、メモリ（＃２）６１２１−２に格納された３色の画像データ（６１Ｒ、６１Ｇ及び６１Ｂ）とが、差分器６１２５−３に出力される。差分器６１２５−３においては、メモリ（＃１）６１２１−１に格納された３色の画像データ（６１Ｒ、６１Ｇ及び６１Ｂ）の階調と、メモリ（＃２）６１２１−２に格納された３色の画像データ（６１Ｒ、６１Ｇ及び６１Ｂ）の階調との差分が算出される。差分の結果は、判定回路６１２７に出力される。つまり、画素ｐ１の階調と画素ｐ１に隣接する画素ｐ２の階調との差分が判定回路６１２７へ出力される。
【００６８】
判定回路６１２７においては、差分器６１２５−１〜３の出力に基づいて、３色の画像データ（６１Ｒ、６１Ｇ及び６１Ｂ）が１ドットの市松模様を含んでいるか否かが判定される。具体的には、差分器６１２５−１及び６１２５−２の夫々の出力が概ね０であり且つ差分器６１２５−３の出力が所定の閾値（例えば、最大階調の１／８）よりも大きい場合には、３色の画像データ（６１Ｒ、６１Ｇ及び６１Ｂ）が１ドットの市松模様を含んでいると判定される。
【００６９】
判定回路６１２７における判定結果は、リサイザ６１２３に出力される。３色の画像データ（６１Ｒ、６１Ｇ及び６１Ｂ）が１ドットの市松模様を含んでいると判定された場合には、リサイザ６１２３は、数式（１）から（１２）における定数「１／４」及び「３／４」の夫々を「１／２」に変更した上で、上述した変換動作を行う。もちろん、３色の画像データ（６１Ｒ、６１Ｇ及び６１Ｂ）が１ドットの市松模様を含んでいないと判定された場合には、リサイザ６１２３は、数式（１）から（１２）を変更することなく、上述した変換動作を行うことは言うまでもない。
【００７０】
ここで、図７から図９を参照して、３色の画像データ（６１Ｒ、６１Ｇ及び６１Ｂ）が１ドット単位の市松模様を含んでいる場合の、液晶パネル３０上での実際の表示態様について説明する。ここに、図７は、３色の画像データをそのまま用いて１ドット単位の市松模様を表示した態様を概念的に示す平面図であり、図８は、比較例に係る液晶装置による１ドット単位の市松模様の表示態様を概念的に示す平面図であり、図９は、本実施形態に係る液晶装置１００による１ドット単位の市松模様の表示態様を概念的に示す平面図である。
【００７１】
図７に示すように、３色の画像データをそのまま用いて１ドット単位の市松模様（特に、黒ドットと白ドットのみから構成される市松模様）を表示した場合には、１ドット単位の市松模様を示す画像は、ユーザの目から見れば、通常はグレー１色での表示となる。また、画像の一部を拡大すると、該拡大された画像は、１ドット単位の市松模様を明確に示している。
【００７２】
他方で、比較例に係る液晶装置のように、常に上述した数式（１）から（１２）を用いて生成される（つまり、定数を変更しないで生成される）４色の画像データを用いて１ドット単位の市松模様を表示した場合には、１ドット単位の市松模様を示す画像は、図８に示すように、画像が表示される位置に依存して、本来グレー１色での表示となるべき画像の色が変化してしまう。これは、奇数ラインにおけるサブ画素ＳＧの配列と、走査線における偶数ラインにおけるサブ画素ＳＧの配列とが、画素の単位で半ピッチずれると共に、４色の画像データ（６１Ｒ’、６１Ｇ’、６１Ｂ’及び６１Ｗ’）の水平方向の表示画素数を半減させるために定数「１／４」及び「３／４」という偏った重み付けをしたマージを行うことで、４色の画像データ（６２Ｒ、６２Ｇ、６２Ｂ及び６２Ｗ）を生成していることに起因している。
【００７３】
しかるに、本実施形態に係る液晶装置１００によれば、４色の画像データ（６１Ｒ’、６１Ｇ’、６１Ｂ’及び６１Ｗ’）の水平方向の表示画素数を半減させるために定数「１／２」という均一な重み付けをしたマージを行うことで、４色の画像データ（６２Ｒ、６２Ｇ、６２Ｂ及び６２Ｗ）を生成しているがゆえに、１ドット単位の市松模様を示す画像は、図９に示すように、画像が表示される位置に依存することなく、本来のグレー１色での表示となる。
【００７４】
このように、本実施形態に係る液晶装置１００によれば、白色（Ｗ）を表示するためのサブ画素ＳＧを含む４つのサブ画素を配置することで光効率を高めることができると共に、仮に元画像データである３色の画像データ（６１Ｒ、６１Ｇ及び６１Ｂ）に１ドット単位の市松模様が含まれている場合であっても、１ドット単位の市松模様の表示に不具合が生ずることはなくなる。つまり、３色の画像データ（６１Ｒ、６１Ｇ及び６１Ｂ）を変換することで得られる４色の画像データ（６２Ｒ、６２Ｇ、６２Ｂ及び６２Ｗ）を用いて画像を表示する場合であっても、特段の不都合を伴うことなく好適な表示を行うことができる。
【００７５】
加えて、メモリ（＃０）６１２１−０と、メモリ（＃１）６１２１−１と、メモリ（＃２）６１２１−２と、メモリ（＃３）６１２１−３とを用いて、水平方向に連続して配置される少なくとも４画素分の画像データを参照すれば、３色の画像データ（６１Ｒ、６１Ｇ及び６１Ｂ）或いは４色の画像データ（６１Ｒ’、６１Ｇ’、６１Ｂ’及び６１Ｗ’）が、１ドット単位の市松模様を含んでいるか否かを判定することができる。従って、１ライン分の画像データを格納するラインメモリ或いは１フレーム分の画像データを格納するフレームメモリを備えない構成の液晶装置１００においても、上述した判定を好適に行うことができる。
【００７６】
但し、３色の画像データ（６１Ｒ、６１Ｇ及び６１Ｂ）或いは４色の画像データ（６１Ｒ’、６１Ｇ’、６１Ｂ’及び６１Ｗ’）が、１ドット単位の市松模様を含んでいるか否かをより高精度に判定するという観点からは、ラインメモリ（特に、少なくとも３ライン分のラインメモリ）やフレームメモリを備えることが好ましい。この場合、水平方向に連続して配置される少なくとも４画素に加えて、これらの画素と垂直方向において相隣接する画素をも参照して、上述した判定動作が行われるため、より高精度に上述した判定動作を行うことができる。尚、垂直方向に相隣接する画素を用いて上述した判定動作を行う場合であっても、判定動作は同様である。つまり、相隣接する画素の階調が所定の閾値以上であり、且つ１画素分はなれた位置にある２つの画素の階調が略同一である場合には、１ドット単位の市松模様が含まれると判定される。
【００７７】
尚、上述した判定動作の態様は一例であり、１ドット単位の市松模様を判定できる限りにおいては、その判定動作の具体的手法は実施形態に記載した例に限定されないことは言うまでもない。
【００７８】
（３）電子機器
続いて、図１０及び図１１を参照しながら、上述の液晶装置１００を具備してなる電子機器の例を説明する。
【００７９】
図１０は、上述した液晶装置１００が適用されたモバイル型のパーソナルコンピュータの斜視図である。図１０において、コンピュータ１２００は、キーボード１２０２を備えた本体部１２０４と、上述した液晶装置１００を含んでなる液晶表示ユニット１２０６とから構成されている。液晶表示ユニット１２０６は、液晶装置１００の背面にバックライトを付加することにより構成されている。
【００８０】
次に、上述した液晶装置１００を携帯電話に適用した例について説明する。図１１は、電子機器の一例である携帯電話の斜視図である。図１１において、携帯電話１３００は、複数の操作ボタン１３０２とともに、半透過反射型の表示形式を採用し、且つ上述した液晶装置１００と同様の構成を有する液晶装置１００５を備えている。
【００８１】
これらの電子機器においても、上述した液晶装置１００を含んでいるため、上述した各種効果を好適に享受することができる。
【００８２】
尚、図１０及び図１１を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた直視型の表示装置や、液晶プロジェクタ等の投射型の表示装置等が挙げられる。そして、これらの各種電子機器に適用可能なのは言うまでもない。
【００８３】
本発明は、上述した実施例に限られるものではなく、請求の範囲及び明細書全体から読み取れる発明の要旨或いは思想に反しない範囲で適宜変更可能であり、そのような変更を伴なう画像処理装置及び表示装置もまた本発明の技術的範囲に含まれるものである。
【図面の簡単な説明】
【００８４】
【図１】本実施形態に係る液晶装置の概略構成を模式的に示す平面図である。
【図２】液晶装置における切断線Ａ−Ａ´に沿った１つの表示画素の拡大断面図である。
【図３】本実施形態に係る液晶装置の回路構成を示す模式図である。
【図４】表示画像変換部の具体的な構成を概念的に示すブロック図である。
【図５】入力画像の３色の画像データを、表示出力用の４色の画像データに変換する過程を概念的に示す模式図である。
【図６】１ドットの市松模様を示す平面図である。
【図７】３色の画像データをそのまま用いて１ドット単位の市松模様を表示した態様を概念的に示す平面図である。
【図８】比較例に係る液晶装置による１ドット単位の市松模様の表示態様を概念的に示す平面図である。
【図９】本実施形態に係る液晶装置による１ドット単位の市松模様の表示態様を概念的に示す平面図である。
【図１０】液晶装置が適用されたモバイル型のパーソナルコンピュータの斜視図である。
【図１１】液晶装置が適用された携帯電話の斜視図である。
【符号の説明】
【００８５】
３０…液晶パネル、１００…液晶装置、６１２…表示画像変換部、６１２１−０…メモリ（＃０）、６１２１−１…メモリ（＃１）、６１２１−２…メモリ（＃２）、６１２１−３…メモリ（＃３）、６１２２…４色画像データ変換回路、６１２３…リサイザ、６１２５−１…差分器、６１２５−２…差分器、６１２５−３…差分器、６１２７…判定回路
【図１】
2009192773.tif 000003
【図２】
2009192773.tif 000004
【図３】
2009192773.tif 000005
【図４】
2009192773.tif 000006
【図５】
2009192773.tif 000007
【図６】
2009192773.tif 000008
【図７】
2009192773.tif 000009
【図８】
2009192773.tif 000010
【図９】
2009192773.tif 000011
【図１０】
2009192773.tif 000012
【図１１】
2009192773.tif 000013